(57)【要約】【課題】簡素な構造で確実にフレキシブルプリント配線板の先端部分を雄ハウジングに固定できるようにする。【解決手段】フレキシブルプリント配線板１を固定した雄ハウジング３と、電線６を固定した雌ハウジング８の嵌合によって、前記フレキシブルプリント配線板と電線とを中継接続するフレキシブルプリント配線板用コネクタにおいて、フレキシブルプリント配線板１の先端部分に取り付ける補強板２の側面に、凸部２ａと可撓変形部２ｂとからなる突起係合部を形成しておき、可撓変形部２ｂの圧縮変形によって凸部２ａを押込めた状態でフレキシブルプリント配線板１の先端部分を雄ハウジング内に挿入するとともに、可撓変形部２ｂの圧縮変形によって押込めた状態の凸部２が雄ハウジング３の内壁に形成した凹部３ａに到達したとき、前記可撓変形部２ｂの圧縮変形を解除して凸部２ａを凹部３ａに係合させ、フレキシブルプリント配線板の先端部分を雄ハウジングに固定する。【選択図】図３
2007234533.tif 000002
【特許請求の範囲】
【請求項１】
フレキシブルプリント配線板（１）を固定した雄ハウジング（３）と、電線（６）を固定した雌ハウジング（８）との嵌合によって、前記フレキシブルプリント配線板と電線とを中継接続するフレキシブルプリント配線板用コネクタにおいて、
フレキシブルプリント配線板（１）の先端部分に取り付ける補強板（２）の側面に、凸部（２ａ）と可撓変形部（２ｂ）とからなる突起係合部を形成しておき、可撓変形部（２ｂ）の圧縮変形によって凸部（２ａ）を押込めた状態でフレキシブルプリント配線板（１）の先端部分を雄ハウジング内に挿入するとともに、
可撓変形部（２ｂ）の圧縮変形によって押込めた状態の凸部（２ａ）が雄ハウジング（３）の内壁に形成した凹部（３ａ）に到達したとき、前記可撓変形部（２ｂ）の圧縮変形を解除して凸部（２ａ）を凹部（３ａ）に係合させ、
フレキシブルプリント配線板の先端部分を雄ハウジングに固定することを特徴とするフレキシブルプリント配線板用コネクタの取付構造。
【請求項２】
可撓変形部がアーチ形状であることを特徴とする請求項１に記載のフレキシブルプリント配線板用コネクタの取付構造。
【発明の詳細な説明】
【技術分野】
【０００１】
本発明は、雄ハウジングと雌ハウジングの嵌合によって、フレキシブルプリント配線板と電線とを中継接続するフレキシブルプリント配線板用コネクタにおいて、フレキシブルプリント配線板の先端部分を雄ハウジングに固定するためのフレキシブルプリント配線板用コネクタの取付構造に関する。
【背景技術】
【０００２】
電装品が搭載されたインスツルメントパネル，センターコンソール，ドアといったモジュールにフレキシブルプリント配線板（以下、ＦＰＣという）を適用し、このモジュール内でＦＰＣと前記電装品と接続する場合、もともと電装品はワイヤハーネス用（電線用）のコネクタが結合される構造となっているので、これと構造を一致させたＦＰＣ専用のコネクタを新規に起こさねばならず、これがコストアップとなっていた。そこで、ＦＰＣと電線を中継接続し、電装品と電気的に接続する必要がある。
【０００３】
図４は、ＦＰＣ１と電線６とを中継接続するＦＰＣ用コネクタ１００を示す図である。
図４に示すように、雄ハウジング３と雌ハウジング８の嵌合によってＦＰＣ１と電線６を中継接続するＦＰＣ用コネクタ１００では、雄ハウジング３にＦＰＣ１を固定するとともに、雌ハウジング８に電線を固定する。
雄ハウジング３内には、挿入口３１から挿入されたＦＰＣ１の先端部分を水平に支持する支持板４が形成されている。なお、前記雄ハウジング３に固定されるＦＰＣ１の表面には導体パターン１ａを保護するために絶縁層１ｂが被覆されるとともに、電線６との導通性を図るためにＦＰＣ先端では導体パターン１ａが露出している。
雌ハウジング８内には、雌雄ハウジングを嵌合したときに、雄ハウジング３の支持板４に支持されているＦＰＣ先端の露出している導体パターン１ａに圧接される金具（ターミナル）７が固定されている。
そして雌ハウジング内の金具（ターミナル）７に電線６の導体部分を取り付けることによって、前記雄雌ハウジング３，８を嵌合したときに、電線６を取り付けた金具（ターミナル）７が、ＦＰＣ１の導体パターン１ａに圧接し、ＦＰＣ１と電線６とが導通する。
なお従来技術によるＦＰＣ用コネクタ１００では、雄ハウジング３の挿入口３１付近に突起部材５を形成するとともに、ＦＰＣ１に前記突起部材５が係合する開口孔１ｃを形成しておき、前記突起部材５と開口孔１ｃとの係合によって、雄ハウジング３にＦＰＣ１を固定していた。（例えば、特許文献１を参照）
【特許文献１】実開平１−１６１５８３（図２）
【発明の開示】
【発明が解決しようとする課題】
【０００４】
しかしながら、雄ハウジングの突起部材５とＦＰＣ１の開口孔１ｃとの係合によって雄ハウジングとＦＰＣとを固定したＦＰＣ用コネクタの取付構造では、ＦＰＣ１が外力によって上下に動くと、当該ＦＰＣ１の開口孔１ｃ内から突起部材５が外れてしまっていた。つまり雄コネクタ３とＦＰＣ１の固定が不十分であるため、引張力がかかると抜け易いといった問題点があった。
【０００５】
そこで、本発明は、簡素な構造で確実にＦＰＣを雄ハウジングに固定できるＦＰＣ用コネクタの取付構造を提供することを目的とする。
【課題を解決するための手段】
【０００６】
上述の目的を達成するため、本発明は、ＦＰＣを固定した雄ハウジングと、電線を固定した雌ハウジングの嵌合によって、前記ＦＰＣと電線とを中継接続するＦＰＣ用コネクタにおいて、ＦＰＣの先端部分に取り付ける補強板の側面に、凸部と可撓変形部とからなる突起係合部を形成しておき、可撓変形部の圧縮変形によって凸部を押込めた状態でＦＰＣの先端部分を雄ハウジング内に挿入するとともに、可撓変形部の圧縮変形によって押込めた状態の凸部が雄ハウジングの内壁に形成した凹部に到達したとき、前記可撓変形部の圧縮変形を解除して凸部を凹部に係合させ、ＦＰＣの先端部分を雄ハウジングに固定するものである。
【発明の効果】
【０００７】
本発明によれば、ＦＰＣを固定した雄ハウジングと、電線を固定した雌ハウジングとの嵌合によって前記ＦＰＣと電線とを中継接続するＦＰＣ用コネクタにおいて、補強板の側面に形成された凸部と可撓変形部とからなる突起係合部と、雄ハウジング内壁に形成された凹部との凹凸係合によってＦＰＣを雄ハウジングに固定したことによって、可撓変形部を圧縮変形させないと凹凸係合を外すことができず、凸部が凹部から外れにくい構造となっているため、ＦＰＣの抜けを防止することができる。
つまり上記ＦＰＣ用コネクタの取付構造では、簡素な構造で確実にＦＰＣを雄ハウジングに固定できる、ＦＰＣが引っ張られてもコネクタからＦＰＣが抜けることなく、ＦＰＣと電線の中継接続を確実なものとすることができる。
【発明を実施するための最良の形態】
【０００８】
以下に、本発明の好適な実施形態について、図面を参照にして説明する。
【０００９】
図１の断面図を参照して、ＦＰＣ１と電線６とを中継接続するＦＰＣ用コネクタ１０について説明する。
雄ハウジング３と雌ハウジング８の嵌合によってＦＰＣ１と電線６を中継接続するＦＰＣ用コネクタ１０では、図１に示すように、雄ハウジング３にＦＰＣ１を固定するとともに、雌ハウジング８に電線を固定する。
【００１０】
雄ハウジング３には挿入口３１が形成され、表面に導体パターン１ａを形成したＦＰＣ１の先端部分が、前記挿入口３１からハウジング内に挿入される。なお前記ＦＰＣ１の表面には導体パターン１ａを保護するために絶縁層１ｂが被覆され、電線６との導通性を図るためにＦＰＣ先端では導体パターン１ａが露出している。
さらにこの実施例では、ＦＰＣ１の先端部分の裏面（導体パターン１ａが形成された面の反対側）に、金属あるいはガラスエポキシ樹脂などの剛性材料からなる補強板２を取り付けた。なお補強板２を取り付けるにあたって、挿入口３１からハウジング内に挿入される部分だけでなく、挿入口付近のハウジング外に配置される部分にわたって補強板２を貼り合わせる。
ＦＰＣ１の先端部分に剛性材料からなる補強板２を取り付けたことによって、従来技術の雄ハウジング（図３を参照）のようにハウジング内に支持板４を設けなくても、挿入口３１から雄ハウジング３内に挿入されたＦＰＣ１の先端部分を撓ませることなく水平に維持することができる。
【００１１】
一方、雌ハウジング８内には電線取付用の金具（ターミナル）７が固定されている。
そして雄雌ハウジング３，８を嵌合したとき、電線６の導体部分を取り付けた前記金具（ターミナル）７を雄ハウジング内に挿入されているＦＰＣ１の先端部分に圧接させ、ＦＰＣ１と電線６とを導通させる。
つまり、裏面に取り付けた補強板２によって雄ハウジング３内で水平に維持されているＦＰＣ１の先端部分に対して、電線６を取り付けた雌ハウジング８内の金具（ターミナル）７を対峙させ、ＦＰＣ先端で露出している導体パターン１ａに対して前記金具（ターミナル）７を圧接させることによって、ＦＰＣ１と電線６とを導通させる。
【００１２】
さらに本発明では、図２に示すように、ＦＰＣ１の先端部分の裏面に取り付けた補強板２の側面に、凸部２ａと可撓変形部２ｂとからなる突起係合部を形成しておき、雄ハウジング３の内壁に形成した凹部３ａに前記補強板２の凸部２ａを係合させ、当該凹凸係合によって雄ハウジング３にＦＰＣ１を固定する。
なお雄ハウジング３に、補強板２を取り付けたＦＰＣ１の先端部分を挿入するにあたって、前記補強板２の両側面にある可撓変形部２ｂの圧縮変形によって凸部２ａが押込められた状態でＦＰＣ１の先端部分が雄ハウジング内に挿入されるとともに、前記可撓変形部２ｂの圧縮変形によって押込められた状態の凸部２ａが雄ハウジング３の内壁に形成したる凹部３ａに到達したとき、前記可撓変形部２ｂの圧縮変形が解除されて凸部２ａが凹部３ａに係合するように構成する。
【００１３】
図２に示すように、この実施例ではＦＰＣ１の先端部分に取り付けた前記補強板２の両側面に、アーチ形状の可撓変形部２ｂと、その上端に形成される凸部２ａとからなる突起係合部をそれぞれ形成した。
【００１４】
そして図３に示すように、凸部２ａと可撓変形部２ｂとからなる突起係合部を両側面に形成した補強板２をＦＰＣ１の先端部分に取り付けたとき、アーチ形状の可撓変形部２ｂの上端にある凸部２ａの先端が、雄ハウジング３の内壁幅より突出するように構成し、当該補強板２を取り付けたＦＰＣ１を雄ハウジング３の挿入口３１からハウジング内に挿入したときに、前記アーチ形状の可撓変形部２ｂが撓んだ状態となって（圧縮変形して）凸部２ａが内側に押込められるように構成した。
また前記可撓変形部２ｂの圧縮変形によって内側に押込められた凸部２ａが、雄ハウジング３の内壁に形成した凹部３ａに到達したとき、前記可撓変形部２ｂの圧縮変形が解除され、凸部２ａと凹部３ａが係合するように構成した。
【００１５】
上記の凹凸係合によって雄ハウジング３とＦＰＣ１とを固定した場合、アーチ形状の可撓変形部２ｂを再び圧縮変形させて凸部２ａを押込めなめれば、前記凸部２ａと凹部３ｂの係合を外すことができず、前記凹凸係合の解除には非常に大きな力が必要となる。そのためＦＰＣを引っ張ってもコネクタからＦＰＣが抜けずらく、ＦＰＣと電線の中継接続を確実なものとすることができる。
【図面の簡単な説明】
【００１６】
【図１】本発明の実施例によるＦＰＣ用コネクタを説明する断面図。
【図２】雄ハウジングとＦＰＣの固定を説明する斜視図。
【図３】雄ハウジングとＦＰＣの固定を説明する断面図。
【図４】従来技術によるＦＰＣ用コネクタを説明する断面図。
【符号の説明】
【００１７】
１    ＦＰＣ（フレキシブルプリント配線板）
１ａ  導体パターン
１ｂ  絶縁層
２    補強板
２ａ  凸部
２ｂ  可撓変形部
３    雄ハウジング
３１  挿入口
３ａ  凹部
４    支持板
５    突起部材
６    電線
７    金具（ターミナル）
８    雌ハウジング
１０，１００    ＦＰＣ用コネクタ
【図１】
2007234533.tif 000003
【図２】
2007234533.tif 000004
【図３】
2007234533.tif 000005
【図４】
2007234533.tif 000006